(57)【要約】      （修正有）【課題】吐水口から流出する吐水が安定して、飛び散りの少ない吐水を実現する、吐水口の整流構造を提供する。【解決手段】吐水口の中央に位置する内側通水路７−３と、内側通水路７−３の外周に位置する外側通水位路７−４と、内側通水路７−３と外側通水路７−４の境目に設置され、各々の通水路を形成している隔壁７−６と、手洗い吐水管を通過した水が外側通水路７−４に流入する外側通水路流入口７−５と、外側通水路７−４を通過した水の一部が内側通水路７−３に流入する内側通水路流入口７−２とを有し、外側通水路流入口７−５より下流側の隔壁７−６に内側通水路流入口７−２を設けた。この内側通水路流入口７−２により、吐水口６−１の中央の内側通水路７−３に水が流入し易く、吐水される主流を安定して形成することができ、飛び散りの少ない流れにすることができる。【選択図】図３
2009293311.tif 000002
【特許請求の範囲】
【請求項１】
手洗い吐水管の吐水口の整流構造であって、
前記吐水口の中央に位置する内側通水路と、
前記内側通水路の外周に位置する外側通水路と、
前記内側通水路と前記外側通水路の境目に設置され、各々の通水路を形成している隔壁と、
前記手洗い吐水管を通過した水が前記外側通水路に流入する外側通水路流入口と、
前記外側通水路を通過した水の一部が前記内側通水路に流入する内側通水路流入口と、
を有し、
前記外側通水路流入口より下流側の前記隔壁に前記内側通水路流入口が設けられていることを特徴とする吐水口の整流構造。
【請求項２】
前記内側通水路の上端は閉塞されていることを特徴とする請求項１に記載の吐水口の整流構造。
【請求項３】
前記外側通水路は、仕切板で多数の区画された通水路に分割形成されていることを特徴とする請求項１又は２に記載の吐水口の整流構造。
【請求項４】
前記内側通水路流入口は、複数設けられ、互いに、前記隔壁の水平断面周方向に間隔を空けて位置していることを特徴とする請求項１ないし３のいずれか１項に記載の吐水口の整流構造。  
【請求項５】
前記内側通水路流入口の底端は、前記内側通水路流入口の上端よりも前記外側通水路側に位置していることを特徴とする請求項１ないし４のいずれか１項に記載の吐水口の整流構造。
【発明の詳細な説明】
【技術分野】
【０００１】
本発明は、手洗い吐水管等の水栓器具の吐水口の整流構造に関する。
【背景技術】
【０００２】
従来の吐水口の整流構造は、吐水口に流れ方向に星形の整流部材を圧入して、吐水口内を複数の整流孔に区画し、流れを整流している（例えば、特許文献１参照。）。 
【０００３】
また、整流手段と吐水口を同一材料で構成し、かつ、吐水口内を複数の仕切板で区画し、中心側の通水路と放射状に区画された通水路を設けることにより、主流と外周流を形成し、吐水の際の飛び散りを防止しているものもある（例えば、特許文献２参照。）。
しかし、このような構造の場合、給水圧の変動により、主流を吐水口の中央に安定吐水させることができないため、十分な整流効果を得ることができずに、吐水が飛び散ったり、吐水方向が吐水口に対して傾いたり、実際に手を洗う作業の使い勝手が悪いという問題があった。
【特許文献１】特許３４９４９１３号公報
【特許文献２】特開平９−３２８７９２号公報
【発明の開示】
【発明が解決しようとする課題】
【０００４】
本発明は、上記問題を解決するためになされたもので、本発明の課題は、吐水の主流が吐水口の中央に安定して位置し、飛び散りの少ない吐水を実現しようとするものである。
【課題を解決するための手段】
【０００５】
本発明は、手洗い吐水管の吐水口の整流構造であって、吐水口の中央に位置する内側通水路と、内側通水路の外周に位置する外側通水位路と、内側通水路と外側通水路の境目に設置され、各々の通水路を形成している隔壁と、手洗い吐水管を通過した水が外側通水路に流入する外側通水路流入口と、外側通水路を通過した水の一部が内側通水路に流入する内側通水路流入口と、を有し、外側通水路流入口より下流側の隔壁に内側通水路流入口が設けられていることを特徴し、内側通水路流入口が隔壁に設けられているため、吐水口の中央の内側通水路に水が流入し易く、吐水される主流を安定して形成することができる。それにより、吐水口から吐水される流れは、主流が吐水口の中央に確実に位置し、飛び散りの少ない流れにすることができる。
【０００６】
本発明において、好ましくは、内側通水路の上端は閉塞されていることを特徴とすることにより、内側通水路内へは内側通水路流入口からのみ水が流入するため、より内側通水路内の主流を整流することができる。吐水口から吐水される流れは、主流が吐水口の中央により確実に位置し、飛び散りの少ない流れにすることができる。
【０００７】
本発明において、好ましくは、外側通水路は、仕切板で多数の区画された通水路に分割形成されていることを特徴とすることにより、外周流が区画された外側通水路を通過するので、外周流の流速は抑制され、外周流の飛び散りをより抑えることができる。
【０００８】
本発明において、好ましくは、内側通水路流入口は、複数設けられ、互いに、隔壁の水平断面周方向に間隔を空けて位置しているを特徴とすることにより、外側通水路から内側通水路に全周から水が流入するので、吐水口の中央に位置するより安定した主流を提供することができる。
【０００９】
本発明において、内側通水路流入口の底端は、内側通水路流入口の上端よりも外側通水路側に位置していることを特徴とすることにより、内側通水路流入口から流入する水は、内側通水路流入口の底端に誘導されて流入するため、より安定した主流を提供することができる。
【発明の効果】
【００１０】
本発明によれば、吐水口から吐水される流れは、主流が吐水口の中央に安定して位置し、飛び散りの少ない流れを実現することができる。
【発明を実施するための最良の形態】
【００１１】
以下、本発明の実施の形態を、図面により詳細に説明する。
図１は、本発明に係る洋風大便器の実施形態を示す斜視図である。図２は、本発明に係る手洗い用の吐水口を組み込んだ吐水手段の実施形態を示す断面図である。図３は、本発明に係る手洗い用の吐水口整流方法を示す拡大断面図である。図４（ａ）は、図３のＡ−Ａの断面図、（ｂ）は、図３のＢ−Ｂの断面図、図４（ｃ）は、図３のＣ−Ｃの断面図である。
【００１２】
図１に示すように、洋風大便器１の上方には、回動自在な便座２と便ふた３、および、洋風大便器１に洗浄水を供給するためのシスターンタンク４が配置されている。本実施例では、シスターンタンク４の内部に人体局部を洗浄するための衛生洗浄装置を内蔵する構成を例にあげているが、この限りではなく、衛生洗浄装置を内臓していなくてもよい。シスターンタンク４の上方には手洗い鉢５が載置されており、吐水手段６は、手洗用の水を手洗い鉢５に向けて吐出すると同時に、その水を便器洗浄のための水としてシスターンタンク４内に貯水するようになっている。
【００１３】
図２に示すように、吐水手段６の先端は吐水口６−１であり、通水路６−２を介して供給された水は、手洗い鉢５に向けて吐水される。吐水口６−１には、吐水口６−１の下端から整流手段７が圧入され、突起６−３は整流手段７の中央部に配置された後述の内側通水路の上端を閉塞している。
【００１４】
通水路６−２の外郭は、意匠的な自由度を配慮してアクリロニトリルブタジエン樹脂やポリプロピレン樹脂などで形成することが多い。また、整流手段７と通水路６−２の外郭を同一の材質で形成することにより、廃棄時に両者を分けてリサイクル処理する必要がなく、環境負担を低減することができる。さらに、通水路６−２の外郭にニッケルやクロムなどの金属メッキを施すことがあるが、表面硬度が金属よりも小さいものを挿入するため、メッキ剥がれが発生することはない。
【００１５】
図３、図４に示すように、整流手段７は中央部に通水部分を有する円筒状の構造である。外側通水路７−４の上流側には、複数の仕切板７−１が設けられており、仕切板７−１を介して、吐水口６−１に向けて流れるようになっている。外側通水路７−４と内側通水路７−３の境界に位置している隔壁７−６の外側通水路流入口７−５より下流側には内側通水路流入口７−２が設けられており、外側通水路７−４から内側通水路７−３へ水が流入するようになっている。内側通水路７−３の周方向に対して、内側通水路流入口７−２は略均等に複数配置されている。それにより、水が隔壁７−６全周に設けられた内側通水路７−３を通り、中央に向けて流れ込むため、主流は吐水口６−１の中央に安定して供給される。突起６−３は整流手段７の中央部に配置された後述の内側通水路７−３の上端を閉塞している。そうでない場合、給水の勢いによって主流は中央に安定して位置しなかったり、給水圧によって、主流の向きが変化することになる。  
【００１６】
仕切板７−１の部分で内側通水路７−３に向けた流れと、外側通水路７−４に向けた外周流に分岐される。断面積的に内側通水路７−３の流れは、外側通水路７−４の流れより速くなる様に配慮されている。そのため、外側通水路７−４の流れは、勢いのある内側通水路７−３の流れに引っ張られ、確実に内側通水路流入口７−２から内側通水路７−３に流入するため、吐水口中央に安定した流れを形成することができる。結果として、吐水口６−１を出た水は飛び散ることがなく、使用者は周囲への飛散水を気にすることなく手が洗えるようになっている。
【００１７】
また、整流手段の上端は、凹部７−７を形成しており、通水路６−２から外側通水路７−４へ水が流入され易いように、流入口の表面積が広げられている。これにより、より安定して、外側通水路７−４に水を供給することができる。
【００１８】
内側通水路流入口底端７−９は、内側通水路流入口上端７−８よりも外側通水路側７−４に位置しているので、外側通水路側７−４を通過する水が、内側通水路流入口底端７−９に誘導され、内側通水路流入口７−２から流入する。よって、安定した主流をより確実に形成することができる。
【００１９】
上述した実施形態においては、整流手段と吐水口が別体に構成されていたが、それらを一体にしても良い。また、内側通水路、外側通水路は流入口から流出口までに同径で均一に形成されているが、流入口を狭くし、流出口に近づくに連れて、徐々に広くすると、より一層流れが安定する。
また、便器の手洗い手段に対する実施形態として記載されているが、通常の水栓蛇口に対して適用しても良い。
【図面の簡単な説明】
【００２０】
【図１】本発明に係る手洗い用の吐水口を組み込んだ洋風大便器の実施形態を示す斜視図である。
【図２】本発明に係る手洗い用の吐水口を組み込んだ吐水手段の実施形態を示す断面図である。
【図３】本発明に係る手洗い用の吐水口整流方法を示す詳細断面図である。
【図４】（ａ）図３のＡ−Ａの断面図である。            （ｂ）図３のＢ−Ｂの断面図である。            （ｃ）図３のＣ−Ｃの断面図である。
【符号の説明】
【００２１】
１…便器
２…便座
３…便ふた
４…シスターンタンク
５…手洗い鉢
６…吐水手段
６−１…吐水口
６−２…通水路
６−３…突起
７…整流手段
７−１…仕切板
７−２…内側通水路流入口
７−３…内側通水路
７−４…外側通水路
７−５…外側通水路流入口
７−６…隔壁
７−７…上端凹部
７−８…内側通水路流入口上端
７−９…内側通水路流入口底端
【図１】
2009293311.tif 000003
【図２】
2009293311.tif 000004
【図３】
2009293311.tif 000005
【図４】
2009293311.tif 000006